(57)【要約】【課題】視覚的訴求力が高く、販売促進力に優れたタオル製装飾体を提供する。【解決手段】装飾体５は、装飾体本体４０と、リボン５０とを有し、装飾体本体４０は、展開状態のタオルの両側から巻回して第１中間体を形成する工程と、第１中間体を捻転するとともに、折り返して第２中間体を形成する工程と、第２中間体における首に対応する位置に環状体を装着して、該環状体の上側を頭部７０とし、頭部７０の両側に環状体３０ａ、３０ｂを装着して環状体３０ａ、３０ｂから突出した部分により耳部９０ａ、９０ｂを表現する。また、タオルを両側から巻回した際に形成した巻回部により、腕部１１０ａ、１１０ｂと脚部１３０ａ、１３０ｂが表現される。リボン５０は、首に対応する位置に巻き付けて設けられる。【選択図】図２
0003189050.tif 000002
【実用新案登録請求の範囲】
【請求項１】
擬人化された動物を表す縫いぐるみを認識させ得る立体的な形態のタオル製装飾体であって、
略正方形状のシート状を呈し、第１辺部（１０−１）と、第１辺部と相対する第２辺部（１０−２）と、第３辺部（１０−３）と、第３辺部と相対する第４辺部（１０−４）とを有するタオル地により形成されたタオル（１０）と、
環状を呈する第１環状体（２０）と、
環状を呈する第２環状体（３０ａ）と、
環状を呈する第３環状体（３０ｂ）と、
を有し、
展開状態のタオルの第１辺部に沿った領域を一方の面側に巻回して形成した第１巻回部（１４０ａ）と、タオルの第２辺部に沿った領域を該一方の面側に巻回して形成した第２巻回部で第１巻回部と略平行に設けられた第２巻回部（１４０ｂ）と、第１巻回部と第２巻回部の間に設けられた非巻回領域からなる中央領域（１５０）とを有し、展開状態のタオルにおける中心線で第１辺部と第２辺部と平行な中心線が該中央領域に存在する第１中間体（Ｃ１０）を形成する工程と、
第１中間体の第３辺部側の半身である第１構成体（Ｃ１２）を第４辺部側の半身である第２構成体（Ｃ１４）に対して、該中心線を中心に略１８０度捻転するとともに、第１構成体を第２構成体における第１巻回部及び第２巻回部が形成された側である正面側に折り返すことにより、上端に折返し部（Ｃ２０−１）が設けられ、下端に第１巻回部及び第２巻回部の端部が設けられた第２中間体（Ｃ２０）を形成する工程と、
第２中間体の折返し部と第１巻回部及び第２巻回部の端部の間の位置に第１環状体を装着して締め付け、第１環状体よりも折返し部側である上部構成体（Ｃ２２）における第２巻回部の一部を第２環状体に挿通させて第２環状体により締め付けるとともに、上部構成体における第１巻回部の一部を第３環状体に挿通させて第３環状体により締め付ける工程とにより形成され、
上部構成体により頭部が表現され、第２巻回部における第２環状体から突出した部分と、第１巻回部における第３環状体から突出した部分とにより一対の耳部が表現され、
第１構成体において、第１巻回部と第２巻回部とで一対の腕部が表現され、第１構成体における第１巻回部と第２巻回部間の非巻回領域により前胴部が表現され、
第２構成体において、第１巻回部と第２巻回部とで一対の脚部が表現され、第２構成体における第１巻回部と第２巻回部間の非巻回領域により後胴部が表現されることを特徴とするタオル製装飾体。
【請求項２】
第１構成体の長さであって、第１中間体の折返し部側の端部から第３辺部までの長さが、第２構成体の長さであって、第１中間体の折返し部側の端部から第４辺部までの長さよりも短く形成され、第１構成体の下端位置が第２構成体の下端位置よりも上方にあることを特徴とする請求項１に記載のタオル製装飾体。
【請求項３】
第１環状体と第２環状体と第３環状体とが、弾性素材により形成されていることを特徴とする請求項１又は２に記載のタオル製装飾体。
【請求項４】
第１環状体に沿ってリボン（５０）が蝶々結びにより巻き付けられていることを特徴とする請求項１又は２又は３に記載のタオル製装飾体。
【請求項５】
タオルが、タオル本体で、略正方形状のシート状を呈し、タオル地により形成されたタオル本体（１２）と、タオル本体の辺部で、タオルにおける少なくとも第３辺部と第４辺部に沿った辺部に沿って設けられた縁部で、タオル本体の色とは異なる色の縁部（１４）と、を有するものであることを特徴とする請求項１又は２又は３又は４に記載のタオル製装飾体。
【請求項６】
第２環状体及び第３環状体が、透明であることを特徴とする請求項１又は２又は３又は４又は５に記載のタオル製装飾体。
【請求項７】
擬人化された動物を表す縫いぐるみを認識させ得る立体的な形態のタオル製装飾体であって、
略正方形状のシート状を呈し、第１辺部（１０−１）と、第１辺部と相対する第２辺部（１０−２）と、第３辺部（１０−３）と、第３辺部と相対する第４辺部（１０−４）とを有するタオルで、タオル本体で、略正方形状のシート状を呈し、タオル地により形成されたタオル本体（１２）と、タオル本体の辺部で、タオルにおける少なくとも第３辺部と第４辺部に沿った辺部に沿って設けられた縁部で、タオル本体の色とは異なる色の縁部（１４）とを有するタオル（１０）と、環状を呈し、弾性素材により形成された第１環状体（２０）と、環状を呈し、透明な弾性素材により形成された第２環状体（３０ａ）と、環状を呈し、透明な弾性素材により形成された第３環状体（３０ｂ）と、を有する装飾体本体（４０）と、
装飾体本体に取り付けられたリボン（５０）と、
を有し、
装飾体本体は、
展開状態のタオルの第１辺部に沿った領域を一方の面側に巻回して形成した第１巻回部（１４０ａ）と、タオルの第２辺部に沿った領域を該一方の面側に巻回して形成した第２巻回部で第１巻回部と略平行に設けられた第２巻回部（１４０ｂ）と、第１巻回部と第２巻回部の間に設けられた非巻回領域からなる中央領域（１５０）とを有し、展開状態のタオルにおける中心線で第１辺部と第２辺部と平行な中心線が該中央領域に存在する第１中間体（Ｃ１０）を形成する工程と、
第１中間体の第３辺部側の半身である第１構成体（Ｃ１２）を第４辺部側の半身である第２構成体（Ｃ１４）に対して、該中心線を中心に略１８０度捻転するとともに、第１構成体を第２構成体における第１巻回部及び第２巻回部が形成された側である正面側に、第１構成体の長さであって、第１中間体の折返し位置から第３辺部までの長さが、第２構成体の長さであって、第１中間体の折返し位置から第４辺部までの長さよりも短くなるように折り返すことにより、上端に折返し部（Ｃ２０−１）が設けられ、下端に第１巻回部及び第２巻回部の端部が設けられ、第１構成体の下端位置が第２構成体の下端位置よりも上方にある第２中間体（Ｃ２０）を形成する工程と、
第２中間体の折返し部と第１巻回部及び第２巻回部の端部の間の位置に第１環状体を装着して締め付け、第１環状体よりも折返し部側である上部構成体（Ｃ２２）における第２巻回部の一部を第２環状体に挿通させて第２環状体により締め付けるとともに、上部構成体における第１巻回部の一部を第３環状体に挿通させて第３環状体により締め付ける工程とにより形成され、
上部構成体により頭部が表現され、第２巻回部における第２環状体から突出した部分と、第１巻回部における第３環状体から突出した部分とにより一対の耳部が表現され、
第１構成体において、第１巻回部と第２巻回部とで一対の腕部が表現され、第１構成体における第１巻回部と第２巻回部間の非巻回領域により前胴部が表現され、
第２構成体において、第１巻回部と第２巻回部とで一対の脚部が表現され、第２構成体における第１巻回部と第２巻回部間の非巻回領域により後胴部が表現され、
リボンは、第１環状体に沿って蝶々結びにより巻き付けられていることを特徴とするタオル製装飾体。
【考案の詳細な説明】
【技術分野】
【０００１】
本考案は、タオル製装飾体に関するものであり、特に、洋服を着せて擬人化された熊等を表わす縫いぐるみを認識させ得る立体的な形態のタオル製装飾体に関する。
【背景技術】
【０００２】
従来より、タオルを店頭販売する際には、例えば、拡げたタオルを陳列棚上に平積みしたり、ハンガーに吊したり、また贈答用のものにおいては、透明フィルムが貼られた窓部を有する化粧箱にタオルを収納し、これを立て掛け、窓部から箱中のタオルの地模様、図形、マーク等の装飾を視認できるようにして陳列するのが一般的である。
【考案の概要】
【考案が解決しようとする課題】
【０００３】
しかし、タオルは、その用途に応じて、様々なサイズのものがあり、例えば、大きなサイズのバスタオル（約１２５０ｍｍ×約６００ｍｍのタオル）、標準的サイズのフェイスタオル（約８００ｍｍ×約３３０ｍｍのタオル）、小さなサイズのハンカチタオル（約２００ｍｍ×約２００ｍｍのタオル）など各種サイズのタオルが同一の売り場において、隣接して陳列され、そのため、ハンカチタオル等のような小さなタオルは、小さいこと自体が販売上、不利となることも少なくない。つまり、上記いずれの陳列方法においても、需要者は、同一売り場で陳列されているより大きなタオルに注意を引かれ、小さなタオルについては見落としてしまいがちである。
【０００４】
そこで、本考案は、視覚的訴求力が高く、販売促進力に優れたタオル製装飾体を提供することを目的とする。
【課題を解決するための手段】
【０００５】
本考案は上記問題点を解決するために創作されたものであって、第１には、擬人化された動物を表す縫いぐるみを認識させ得る立体的な形態のタオル製装飾体であって、略正方形状のシート状を呈し、第１辺部（１０−１）と、第１辺部と相対する第２辺部（１０−２）と、第３辺部（１０−３）と、第３辺部と相対する第４辺部（１０−４）とを有するタオル地により形成されたタオル（１０）と、環状を呈する第１環状体（２０）と、環状を呈する第２環状体（３０ａ）と、環状を呈する第３環状体（３０ｂ）と、を有し、展開状態のタオルの第１辺部に沿った領域を一方の面側に巻回して形成した第１巻回部（１４０ａ）と、タオルの第２辺部に沿った領域を該一方の面側に巻回して形成した第２巻回部で第１巻回部と略平行に設けられた第２巻回部（１４０ｂ）と、第１巻回部と第２巻回部の間に設けられた非巻回領域からなる中央領域（１５０）とを有し、展開状態のタオルにおける中心線で第１辺部と第２辺部と平行な中心線が該中央領域に存在する第１中間体（Ｃ１０）を形成する工程と、第１中間体の第３辺部側の半身である第１構成体（Ｃ１２）を第４辺部側の半身である第２構成体（Ｃ１４）に対して、該中心線を中心に略１８０度捻転するとともに、第１構成体を第２構成体における第１巻回部及び第２巻回部が形成された側である正面側に折り返すことにより、上端に折返し部（Ｃ２０−１）が設けられ、下端に第１巻回部及び第２巻回部の端部が設けられた第２中間体（Ｃ２０）を形成する工程と、第２中間体の折返し部と第１巻回部及び第２巻回部の端部の間の位置に第１環状体を装着して締め付け、第１環状体よりも折返し部側である上部構成体（Ｃ２２）における第２巻回部の一部を第２環状体に挿通させて第２環状体により締め付けるとともに、上部構成体における第１巻回部の一部を第３環状体に挿通させて第３環状体により締め付ける工程とにより形成され、上部構成体により頭部が表現され、第２巻回部における第２環状体から突出した部分と、第１巻回部における第３環状体から突出した部分とにより一対の耳部が表現され、第１構成体において、第１巻回部と第２巻回部とで一対の腕部が表現され、第１構成体における第１巻回部と第２巻回部間の非巻回領域により前胴部が表現され、第２構成体において、第１巻回部と第２巻回部とで一対の脚部が表現され、第２構成体における第１巻回部と第２巻回部間の非巻回領域により後胴部が表現されることを特徴とする。
【０００６】
第１の構成のタオル製装飾体においては、熊等の動物を連想させる立体的な形態により、需要者の注意を引き付け、販売促進を図ることができる。つまり、本考案のタオルは、タオル売り場において、他のタオルと混在していても、立体であることにより、他のタオルに紛れてしまわず、需要者の目に付き、また、熊等の動物を連想させる形態であることにより、購買意欲を刺激し、売り上げを伸ばすことができる。また、インターネットを利用した電子カタログによる通信販売や、冊子カタログによる販売においても、店頭販売と同様に、カタログ上において、視覚的訴求効を発揮し、販売促進を図ることができる。
【０００７】
また、第２には、上記第１の構成において、第１構成体の長さであって、第１中間体の折返し部側の端部から第３辺部までの長さが、第２構成体の長さであって、第１中間体の折返し部側の端部から第４辺部までの長さよりも短く形成され、第１構成体の下端位置が第２構成体の下端位置よりも上方にあることを特徴とする。よって、腕部が脚部よりも上側にあるように表現することができる。
【０００８】
また、第３には、上記第１又は第２の構成において、第１環状体と第２環状体と第３環状体とが、弾性素材により形成されていることを特徴とする。よって、各環状体による締付けを容易とすることができる。
【０００９】
また、第４には、上記第１から第３までのいずれかの構成において、第１環状体に沿ってリボンが蝶々結びにより巻き付けられていることを特徴とする。このリボンにより蝶ネクタイを着用しているように表現することができる。
【００１０】
また、第５には、上記第１から第４までのいずれかの構成において、タオルが、タオル本体で、略正方形状のシート状を呈し、タオル地により形成されたタオル本体（１２）と、タオル本体の辺部で、タオルにおける少なくとも第３辺部と第４辺部に沿った辺部に沿って設けられた縁部で、タオル本体の色とは異なる色の縁部（１４）と、を有するものであることを特徴とする。よって、タオル本体の上端部に設けられた縁部が、各腕部の先端部と、前胴部の先端部に表れ、タオル本体の下端部に設けられた縁部が、各脚部の先端部と、後胴部の先端部に表れ、これら縁部が洋服の袖口や裾部を彷彿とさせる外観上のアクセントになって、装飾体の美観や愛らしさが向上する。
【００１１】
また、第６には、上記第１から第５までのいずれかの構成において、第２環状体及び第３環状体が、透明であることを特徴とする。よって、環状体を目立たなくすることができ、各環状体が頭部に馴染んで、装飾体の美観や愛らしさがさらに向上する。
【００１２】
また、第７には、擬人化された動物を表す縫いぐるみを認識させ得る立体的な形態のタオル製装飾体であって、略正方形状のシート状を呈し、第１辺部（１０−１）と、第１辺部と相対する第２辺部（１０−２）と、第３辺部（１０−３）と、第３辺部と相対する第４辺部（１０−４）とを有するタオルで、タオル本体で、略正方形状のシート状を呈し、タオル地により形成されたタオル本体（１２）と、タオル本体の辺部で、タオルにおける少なくとも第３辺部と第４辺部に沿った辺部に沿って設けられた縁部で、タオル本体の色とは異なる色の縁部（１４）とを有するタオル（１０）と、環状を呈し、弾性素材により形成された第１環状体（２０）と、環状を呈し、透明な弾性素材により形成された第２環状体（３０ａ）と、環状を呈し、透明な弾性素材により形成された第３環状体（３０ｂ）と、を有する装飾体本体（４０）と、装飾体本体に取り付けられたリボン（５０）と、を有し、装飾体本体は、展開状態のタオルの第１辺部に沿った領域を一方の面側に巻回して形成した第１巻回部（１４０ａ）と、タオルの第２辺部に沿った領域を該一方の面側に巻回して形成した第２巻回部で第１巻回部と略平行に設けられた第２巻回部（１４０ｂ）と、第１巻回部と第２巻回部の間に設けられた非巻回領域からなる中央領域（１５０）とを有し、展開状態のタオルにおける中心線で第１辺部と第２辺部と平行な中心線が該中央領域に存在する第１中間体（Ｃ１０）を形成する工程と、第１中間体の第３辺部側の半身である第１構成体（Ｃ１２）を第４辺部側の半身である第２構成体（Ｃ１４）に対して、該中心線を中心に略１８０度捻転するとともに、第１構成体を第２構成体における第１巻回部及び第２巻回部が形成された側である正面側に、第１構成体の長さであって、第１中間体の折返し位置から第３辺部までの長さが、第２構成体の長さであって、第１中間体の折返し位置から第４辺部までの長さよりも短くなるように折り返すことにより、上端に折返し部（Ｃ２０−１）が設けられ、下端に第１巻回部及び第２巻回部の端部が設けられ、第１構成体の下端位置が第２構成体の下端位置よりも上方にある第２中間体（Ｃ２０）を形成する工程と、第２中間体の折返し部と第１巻回部及び第２巻回部の端部の間の位置に第１環状体を装着して締め付け、第１環状体よりも折返し部側である上部構成体（Ｃ２２）における第２巻回部の一部を第２環状体に挿通させて第２環状体により締め付けるとともに、上部構成体における第１巻回部の一部を第３環状体に挿通させて第３環状体により締め付ける工程とにより形成され、上部構成体により頭部が表現され、第２巻回部における第２環状体から突出した部分と、第１巻回部における第３環状体から突出した部分とにより一対の耳部が表現され、第１構成体において、第１巻回部と第２巻回部とで一対の腕部が表現され、第１構成体における第１巻回部と第２巻回部間の非巻回領域により前胴部が表現され、第２構成体において、第１巻回部と第２巻回部とで一対の脚部が表現され、第２構成体における第１巻回部と第２巻回部間の非巻回領域により後胴部が表現され、リボンは、第１環状体に沿って蝶々結びにより巻き付けられていることを特徴とする。
【００１３】
第７の構成のタオル製装飾体においては、熊等の動物を連想させる立体的な形態により、需要者の注意を引き付け、販売促進を図ることができる。つまり、本考案のタオルは、タオル売り場において、他のタオルと混在していても、立体であることにより、他のタオルに紛れてしまわず、需要者の目に付き、また、熊等の動物を連想させる形態であることにより、購買意欲を刺激し、売り上げを伸ばすことができる。また、インターネットを利用した電子カタログによる通信販売や、冊子カタログによる販売においても、店頭販売と同様に、カタログ上において、視覚的訴求効を発揮し、販売促進を図ることができる。
【００１４】
また、第１構成体の長さであって、第１中間体の折返し位置と第３辺部までの長さが、第２構成体の長さであって、第１中間体の折返し位置と第４辺部までの長さよりも短く形成され、第１構成体の下端位置が第２構成体の下端位置よりも上方にあるので、腕部が脚部よりも上側にあるように表現することができる。
【００１５】
また、第１環状体と第２環状体と第３環状体とが、弾性素材により形成されているので、各環状体による締付けを容易とすることができる。
【００１６】
また、リボンが、第１環状体に沿って蝶々結びにより巻き付けられているので、このリボンにより蝶ネクタイを着用しているように表現することができる。
【００１７】
また、タオルに縁部が設けられているので、よって、タオル本体の上端部に設けられた縁部が、各腕部の先端部と、前胴部の先端部に表れ、タオル本体の下端部に設けられた縁部が、各脚部の先端部と、後胴部の先端部に表れ、これら縁部が洋服の袖口や裾部を彷彿とさせる外観上のアクセントになって、装飾体の美観や愛らしさが向上する。
【００１８】
さらに、第２環状体及び第３環状体が透明であるので、環状体を目立たなくすることができ、各環状体が頭部に馴染んで、装飾体の美観や愛らしさがさらに向上する。
【考案の効果】
【００１９】
本考案に基づくタオルによれば、熊等の動物を連想させる立体的な形態により、需要者の注意を引き付け、販売促進を図ることができる。つまり、本考案のタオルは、タオル売り場において、他のタオルと混在していても、立体であることにより、他のタオルに紛れてしまわず、需要者の目に付き、また、熊等の動物を連想させる形態であることにより、購買意欲を刺激し、売り上げを伸ばすことができる。また、インターネットを利用した電子カタログによる通信販売や、冊子カタログによる販売においても、店頭販売と同様に、カタログ上において、視覚的訴求効を発揮し、販売促進を図ることができる。
【図面の簡単な説明】
【００２０】
【図１】装飾体の斜視図である。
【図２】装飾体の正面図である。
【図３】装飾体の背面図である。
【図４】装飾体の右側面図である。
【図５】装飾体の平面図である。
【図６】装飾体の底面図である。
【図７】装飾体の分解図である。
【図８】タオルの一方の側端部を巻回した状態を示す説明図である。
【図９】タオルの他方の側端部を巻回した状態（第１中間体）を示す説明図である。
【図１０】第１中間体を捻転した状態を示す説明図である。
【図１１】第１環状体が第２中間体に取り付けられた状態を示す説明図である。
【図１２】第２環状体が第２中間体に取り付けられた状態を示す説明図である。
【図１３】第３環状体が第２中間体に取り付けられた状態を示す説明図である。
【考案を実施するための形態】
【００２１】
本考案においては、視覚的訴求力が高く、販売促進力に優れたタオル製装飾体を提供するという目的を以下のようにして実現した。
【００２２】
本考案に基づくタオル製装飾体５は、タオルを巻回する等して、洋服が着せられ擬人化された熊等を表す縫いぐるみを認識させ得る立体的な形態に形成されたものであり、図１〜図６に示すように構成され、タオル１０と、環状体２０（第１環状体）と、環状体３０a（第２環状体）と、環状体３０ｂ（第３環状体）と、を備え（図７を参照）、これらを主材として形成された装飾体本体４０と、装飾体本体４０に結び付けられたリボン５０と、を有している。
【００２３】
ここで、タオル１０は、図７に示すように、タオル本体１２と、タオル本体１２の端部（「タオル本体１２の上端部とタオル本体１２の下端部」としてもよい）に設けられた縁部１４と、を有している。タオル１０は、第１辺部１０−１と、第１辺部１０−１と平行な第２辺部１０−２と、第３辺部１０−３と、第３辺部と平行な第４辺部１０−４とを有している。
【００２４】
タオル本体１２は、略正方形状のシート状を呈し、ポリエステル製のタオル地により形成されている。
【００２５】
縁部１４は、タオル本体１２の周囲に、タオル本体１２の色とは異なる色のバイアステープを縫い付けることにより設けられたものである。つまり、バイアステープを、その幅方向の中心線に沿って二つ折りにし、二つ折りしたことにより区画されたバイアステープの一方の半面をタオル本体１２の一方側の面部１０ａ（第１面部）における周囲部に重ね合わせるとともに、バイアステープの他方の半面をタオル本体１２の他方側の面部１０ｂ（第２面部）における周囲部に重ね合わせることにより、タオル本体１２の周囲部を被覆し、これをタオル本体１２に縫い付けたものであり、この縁部１４が、図１〜図６に示すように、装飾体５において、洋服の袖口等を視覚的に認識させ得るアクセントになって、装飾体５の美観や愛らしさを高めている。なお、タオル本体１２と縁部１４の色の例としては、タオル本体１２の色が赤で、縁部１４の色が白の場合や、タオル本体１２の色が茶色で、縁部１４の色が水色の場合や、タオル本体１２の色が白で、縁部１４の色が茶色の場合が考えられる。
【００２６】
また、縁部１４は、タオル本体１２の周囲部（「タオル本体１２の上端部とタオル本体１２の下端部」としてもよい）に、タオル本体１２の色とは異なる色の糸によりブランケットステッチを施すことにより設けたものとしてもよい。
【００２７】
環状体２０は、図７に示すように、環状を呈し、無色透明（有色でもよい）で、かつ、弾性素材により形成され、図１１〜図１３に示すように、中間体Ｃ２０（装飾体５を形成する過程において、タオル１０から形成されるものであり、詳細については後説する）に取り付けられて、装飾体本体４０の首部６０（詳細については後説する）を形成するためのものである。
【００２８】
つまり、環状体２０は、弾性変形により伸張し、その内径が拡張した際には、中間体Ｃ２０の上端部側を環状体２０の内側に挿通することができるとともに、収縮することにより、挿通された中間体Ｃ２０を締め付けることができる特性（内径寸法、弾性率、強度等）を有するものである。
【００２９】
環状体３０ａは、図７に示すように、環状を呈し、無色透明（有色でもよい）で、かつ、弾性素材により形成され、図１２、図１３に示すように、中間体Ｃ２０に取り付けられて、装飾体本体４０における一方の耳部９０ａ（詳細については後説する）を形成するためのものである。
【００３０】
つまり、環状体３０ａは、弾性変形により伸張し、その内径が拡張した際には、中間体Ｃ２０の上端部における一方の角部を環状体３０ａの内側に挿通することができるとともに、収縮することにより、環状体３０ａから突出した部分の基端部を締め付けることができる特性（内径寸法、弾性率、強度等）を有するものである。
【００３１】
環状体３０ｂは、図７に示すように、環状を呈し、無色透明（有色でもよい）で、かつ、弾性素材により形成され、図１３に示すように、中間体Ｃ２０に取り付けられて、装飾体本体４０における他方の耳部９０ｂ（詳細については後説する）を形成するためのものである。
【００３２】
つまり、環状体３０ｂは、弾性変形により伸張し、その内径が拡張した際には、中間体Ｃ２０の上端部における他方の角部を環状体３０ｂの内側に挿通することができるとともに、収縮することにより、環状体３０ｂから突出した部分の基端部を締め付けることができる特性（内径寸法、弾性率、強度等）を有するものである。
【００３３】
装飾体本体４０は、洋服を着せられ擬人化された熊（熊以外の動物でもよく、例えば「コアラ」としてもよい）を表わす縫いぐるみを認識させ得る立体的な形態を呈し（図１〜図６を参照）、環状体２０を中間体Ｃ２０に取り付けることにより、中間体Ｃ２０が部分的に締め付けられ、括（くび）れた部分である首部６０と、環状体２０から上方に突出した部分である頭部７０と、環状体２０から下方に突出した部分である首下構成部８０と、を有している。
【００３４】
頭部７０は、頭部本体７２と、頭部本体７２の上端部における一方の角部に連設された耳部９０ａと、頭部本体７２の上端部における他方の角部に連設された耳部９０ｂと、を有している。なお、頭部本体７２は、頭部７０における耳部９０ａと耳部９０ｂ以外の部分である。
【００３５】
耳部９０ａは、中間体Ｃ２０の上端部における一方の角部を環状体３０ａの内側に挿通し、環状体３０ａから突出した部分の基端部を環状体３０ａによって締め付けることにより、該環状体３０ａから突出した部分により形成されている。
【００３６】
また、耳部９０ｂは、中間体Ｃ２０の上端部における他方の角部を環状体３０ｂの内側に挿通し、環状体３０ｂから突出した部分の基端部を環状体３０ｂによって締め付けることにより、該環状体３０ｂから突出した部分により形成されている。
【００３７】
また、首下構成部８０は、正面側に形成された前胴部１００と、前胴部１００の一方の側端部から連設された腕部１１０ａ（第１腕部）と、前胴部１００の他方の側端部から連設された腕部１１０ｂ（第２腕部）と、前胴部１００の後方に設けられた後胴部１２０と、後胴部１２０の一方の側端部から連設された脚部１３０ａ（第１脚部）と、後胴部１２０の他方の側端部から連設された脚部１３０ｂ（第２脚部）と、を有している。
【００３８】
リボン５０は、帯状で、タオル本体１２の色とは異なる色を呈し、図１〜図４に示すように、装飾体本体４０の首部６０に環状体２０の上から巻き付けるためのものであり、首部６０に巻き付けられた状態で蝶々結びができる長さを有している。リボン５０の色としては、上記のタオル本体１２と縁部１４の例において、リボン５０の色がベージュ色又は金色の場合が挙げられる。
【００３９】
次に、タオル製装飾体５の形成工程について説明する。図８に示すように、まず、タオル１０の一方の側端部（図８において右側）を面部１０ａ側（装飾体５において、正面側となる面部側）に巻き込むとともに、縦軸線Ｍ１（タオル１０の一方の側端部と、該側端部に相対する他方の側端部との間の中心を通る線）側に向けて巻回し、巻回部１４０ａ（第１巻回部）を形成し、次に、図９に示すように、タオル１０の他方の側端部（図８において左側）を面部１０ａ側に巻き込むとともに、縦軸線Ｍ側に向けて巻回し、巻回部１４０ｂ（第２巻回部）を形成する。この際、巻回部１４０ａと巻回部１４０ｂとの間に非巻回領域を残して、中央部形成領域（中央領域）１５０とし、巻回部１４０ａと、巻回部１４０ｂと、中央部形成領域１５０と、を有する中間体Ｃ１０（第１中間体）を形成する。
【００４０】
次に、図１０に示すように、中間体Ｃ１０を捻転（ねんてん）し、二つ折りにして中間体Ｃ２０（第２中間体）を形成する。つまり、中間体Ｃ１０の上部側の半身である第１構成体Ｃ１２を、中間体Ｃ１０の下部側の半身である第２構成体Ｃ１４に対し、縦軸線Ｍ１を回転軸として、略１８０度（「１８０度」としてもよい）捻って回転させ、この捻転された状態の中間体Ｃ１０の上下方向中央よりもやや上方の位置を通る横軸線Ｍ２で、縦軸線Ｍ１に対して略直交する横軸線Ｍ２に沿って、第１構成体Ｃ１２前方に折り曲げ、第１構成体Ｃ１２を中間体Ｃ１０における第２構成体Ｃ１４に重合させるとともに、第１構成体Ｃ１２の下端部が第２構成体Ｃ１４の下端部よりもやや上方に位置するように二つ折り状態として、中間体Ｃ２０を形成する。中間体Ｃ２０の上端には、折返し部Ｃ２０−１が設けられる。この中間体Ｃ２０においては、第１構成体Ｃ１２の長さであって、中間体Ｃ１０の折返し部Ｃ２０−１側の端部（折返し位置）と第３辺部までの長さが、第２構成体Ｃ１４の長さであって、中間体Ｃ１０の折返し部Ｃ２０−１側の端部（折返し位置）と第４辺部までの長さよりも短く形成されるので、第１構成体Ｃ１２の下端位置が第２構成体の下端位置Ｃ１４よりも上方にあることになる。
【００４１】
次に、中間体Ｃ２０の上端部側を環状体２０に挿通し、環状体２０を中間体Ｃ２０の上下方向中央よりもやや上方の位置に取り付け、中間体Ｃ２０を環状体２０の弾性収縮力によって、部分的に締め付けることにより、首部６０を形成する（図１１参照）。環状体２０よりも上側を上部構成体Ｃ２２、下側を下部構成体Ｃ２４とする。
【００４２】
次に、図１２に示すように、中間体Ｃ２０の上端部における一方の角部を環状体３０ａの内側に挿通し、環状体３０ａから突出した部分の基端部に環状体３０ａを取り付け、環状体３０ａの弾性収縮力によって、該基端部を締め付けることにより、耳部９０aを形成し（つまり、第２中間体Ｃ２０の折返し部Ｃ２０−１における巻回部１４０ｂに環状体３０ａを取り付けて耳部９０ａを形成する）、図１３に示すように、中間体Ｃ２０の上端部における他方の角部を環状体３０ｂの内側に挿通し、環状体３０ｂから突出した耳部本体９２ｂの基端部に環状体３０ｂを取り付け、環状体３０ｂの弾性収縮力によって、耳部本体９２ｂの基端部を締め付けることにより、耳部９０ｂを形成して（つまり、第２中間体Ｃ２０の折返し部Ｃ２０−１における巻回部１４０ａに環状体３０ｂを取り付けて耳部９０ｂを形成する）、装飾体本体４０を得る。
【００４３】
この装飾体本体４０は、環状体２０から上方に突出した部分である上部構成体Ｃ２２により、頭部本体７２と、耳部９０aと、耳部９０ｂと、を有する頭部７０が表現され、環状体２０から下方に突出した部分である下部構成体Ｃ２４により首下構成部８０が表現される。下部構成体Ｃ２４の正面側においては、中間体Ｃ２０の形成の際の捻転及び折り曲げにより、左右反転及び上下倒置された、中間体Ｃ１０の上部側により、腕部１１０ａと、腕部１１０ｂと、前胴部１００とが表現され、巻回部１４０ｂの上部側により、腕部１１０ａが表現され、巻回部１４０ａの上部側により、腕部１１０ｂが表現され、中央部形成領域１５０の上部側により、前胴部１００が表現され、環状体２０から下方に突出した部分の背面側においては、巻回部１４０ａの下部側により、脚部１３０ａが表現され、巻回部１４０ｂの下部側により、脚部１３０ｂが表現され、中央部形成領域１５０の下部側により、後胴部１２０が表現されている。なお、中間体Ｃ２０の形成に際して、第１構成体Ｃ１２の下端部が第２構成体Ｃ１４の下端部よりもやや上方に位置するように二つ折り状態とするので、腕部を表す巻回部１４０ａ、１４０ｂの下端が、脚部を表す巻回部１４０ａ、１４０ｂの下端よりも上側となり、腕部が脚部よりも上側にあるように表現することができる。
【００４４】
なお、腕部１１０ａと、腕部１１０ｂと、前胴部１００の下端部には、タオル本体１２の上端部に設けられた縁部１４が表れ、脚部１３０ａと、脚部１３０ｂと、後胴部１２０の下端部には、タオル本体１２の下端部に設けられた縁部１４が表れ、縁部１４が外観上のアクセントになっている。
【００４５】
そして、最後にリボン５０を装飾体本体４０の首部６０に環状体２０の上から巻き付け、蝶々結びにより結び付けることにより、立体的に造形された装飾体５が完成する。このリボンにより蝶ネクタイを着用しているように表現することができる。
【００４６】
本考案に基づくタオル製装飾体５は、以上のように形成され、立体であることにより、タオル売り場において、他のタオルと混在していても、他のタオルに紛れてしまわず、需要者の目に付き、また、熊等の動物を連想させる形態であることにより、購買意欲を刺激し、売り上げを伸ばすことができる。また、インターネットを利用した電子カタログによる通信販売や、冊子カタログによる販売においても、店頭販売と同様に、カタログ上において、視覚的訴求効を発揮し、販売促進を図ることができる。
【００４７】
また、タオル１０が、略正方形状のシート状を呈し、タオル地により形成されたタオル本体１２と、タオル本体１２の上端部とタオル本体１２の下端部とに設けられた縁部１４で、タオル本体１２の色とは異なる色の縁部１４と、を有しているものであるので、タオル本体１２の上端部に設けられた縁部１４が、各腕部１１０ａ、１１０ｂの先端部と、前胴部１１０の先端部に表れ、タオル本体１２の下端部に設けられた縁部１４が、各脚部１３０ａ、１３０ｂの先端部と、後胴部１３０の先端部に表れ、これら縁部１４が洋服の袖口や裾部を彷彿とさせる外観上のアクセントになって、装飾体の美観や愛らしさが向上する。
【００４８】
また、環状体３０ａ及び環状体３０ｂが、透明であるので、環状体３０ａ、３０ｂを目立たなくすることができ、環状体３０ａ及び環状体３０ｂが、頭部７０に馴染んで装飾体５の美観や愛らしさがさらに向上する。
【符号の説明】
【００４９】
５  装飾体
１０  タオル
１０ａ  面部（第１面部）
１０ｂ  面部（第２面部）
１２  タオル本体
１４  縁部
２０  環状体（第１環状体）
３０ａ  環状体（第２環状体）
３０ｂ  環状体（第３環状体）
４０  装飾体本体
５０  リボン
６０  首部
７０  頭部
７２  頭部本体
８０  首下構成部
９０ａ  耳部（第１耳部）
９０ｂ  耳部（第２耳部）
１００  前胴部
１１０ａ  腕部（第１腕部）
１１０ｂ  腕部（第２腕部）
１２０  後胴部
１３０ａ  脚部（第１脚部）
１３０ｂ  脚部（第２脚部）
１４０ａ  巻回部（第１巻回部）
１４０ｂ  巻回部（第２巻回部）
１５０  中央部形成領域
Ｍ１  縦軸線
Ｍ２  横軸線
Ｃ１０  中間体（第１中間体）
Ｃ１２  第１構成体
Ｃ１４  第２構成体
Ｃ２０  中間体（第２中間体）
Ｃ２０−１  折返し部
Ｃ２２  上部構成体
Ｃ２４  下部構成体
【図１】
0003189050.tif 000003
【図２】
0003189050.tif 000004
【図３】
0003189050.tif 000005
【図４】
0003189050.tif 000006
【図５】
0003189050.tif 000007
【図６】
0003189050.tif 000008
【図７】
0003189050.tif 000009
【図８】
0003189050.tif 000010
【図９】
0003189050.tif 000011
【図１０】
0003189050.tif 000012
【図１１】
0003189050.tif 000013
【図１２】
0003189050.tif 000014
【図１３】
0003189050.tif 000015